(57)【要約】【課題】プラスチック容器を使用することなく、機械的強度が強く多段積みに耐え、輸送時や保管時の占有空間が小さく比較的軽量な廃油処理用容器を得る。【解決手段】廃油処理用容器の構成要素の主要部を全て天然素材で構成し、容器本体を紙製外箱と、当該外箱１の内部に配置され前記外箱１の天地間に伸長する中筒９との二重構造となし、前記中筒９の上下開口端を閉鎖する紙製中パットを配置する一方、前記中筒９の内部に上部が開口し内部に廃油を収納する内袋１１を配設すると共に、前記外箱１の内部に上部が開口し内部に前記中筒９を収容する漏洩防止用外袋１２を配設する。【選択図】図１
2004196456.tif 000002
【特許請求の範囲】
【請求項１】
上部が開口し内部に廃油を収納する廃油収納用内袋と、当該内袋を収容する紙製中筒と、当該中筒の上下開口端をそれぞれ閉鎖する紙製中パットと、上部が開口し内部に前記中筒を収容する漏洩防止用外袋と、該外袋の上下に配置されるファイバーボードと、これらを一体的に収納する紙製外箱とを含んでなる廃油処理用容器。
【請求項２】
前記内袋及び外袋がポリオレフィン系フィルム製袋又は少なくとも内面をポリオレフィン系フィルムで被覆された紙袋である請求項１に記載の廃油処理用容器。
【請求項３】
前記中筒が長方形の厚肉紙を円筒状に巻回し、両端を粘着テープで貼着してなる請求項１又は２に記載の廃油処理用容器。
【請求項４】
前記紙製外箱が段ボール製であって、少なくとも内壁が防水コーティングされている請求項１〜３のいずれか一に記載の廃油処理用容器。
【請求項５】
前記外箱が、その底部及びその相対する側壁にそれぞれ当接するコ字状の紙製補強板を備え、当該補強板が相対する側壁部に少なくとも一つの係止用舌片を備え、当該係止用舌片を前記外箱に設けた貫通口に嵌入されていることを特徴とする請求項１〜４のいずれか一に記載の廃油処理用容器。
【発明の詳細な説明】
【０００１】
【発明の属する技術分野】
本発明は廃油処理用容器、特に、産業界や船舶等で生じた廃油を収集及び運搬するのに使用され、そのまま焼却処理することができる廃油処理用容器に関するものである。
【０００２】
【従来の技術】
従来、廃油等の収集及び運搬には、プラスチック製容器や薄肉金属板製容器が採用されているが、近年、環境保護の観点及び容器等が廃棄物となった場合の処理の困難性からこれらの容器の使用が禁止され、これに代わる容器の開発が要望されている。
【０００３】
他方、一般家庭や飲食店等で生ずる廃油や自動車のオイル交換等により生じる廃油等を収容し、そのまま焼却処理することのできる廃油処理容器が開発されている。この種の廃油処理容器としては、上方が開口し内周面に樹脂層を積層してなる紙袋と、当該紙袋を収納する板紙製の収納容器とで廃油処理容器を構成し、前記紙袋の内部に廃油吸収材を収容させ、板紙製の収納容器が、前記紙袋を上載する底部と、該底部の外縁より延在して前記紙袋の下方側外周を囲む側壁部とを有し、該側壁部が前記紙袋の下方側外周に貼着されており、前記板紙製の収納容器が前記紙袋を被覆する蓋部を有さないことを特徴とする廃油処理容器が提案されている（例えば、特許文献１、２参照）。
【０００４】
【特許文献１】
特開平６−１８３５０４号（第２〜３頁、図１）
【特許文献２】
特開平６−１８３５０３号（第２〜３頁、図１）
【０００５】
【発明が解決しようとする課題】
この廃油処理容器は、製造が容易で、収納容器成形素材の節減を図ることができ、廃油が比較的少量しか発生しない一般家庭や飲食店等での使用には適しているが、異物を含む多量の廃油を生じる産業界や船舶等での廃油処理には使用するのが困難である。即ち、産業界、例えば、金属加工業で生じる廃油にはスラッグや金属粉が含まれ、反復使用する間に廃油がスラッジ状となって極めで重くなること、また、それを収容する容器は、通常、２０〜３０リットルの廃油を収容することができるだけでなく、多段積みに耐え、ある程度高いところからの落下にも耐え得ることが要求されるため、前記構造では機械的強度が弱く実用に供し得ないという問題がある。
【０００６】
従って、本発明は、環境汚染の原因となるプラスチック容器を使用することなく、機械的強度が強く多段積みに耐え、輸送時や保管時の占有空間が小さく比較的軽量な廃油処理用容器を得ることを技術的課題とするものである。
【０００７】
【課題を解決するための手段】
本発明は、環境保護の観点から廃油処理用容器の構成要素の主要部を全て天然素材で構成するようにし、容器の機械的強度及び耐圧性を高めるため、容器本体を紙製外箱と、当該外箱の内部に配置され前記外箱の天地間に伸長する中筒との二重構造となし、前記中筒の上下開口端を閉鎖する紙製中パットを配置する一方、前記中筒の内部に上部が開口し内部に廃油を収納する内袋を配設すると共に、前記外箱の内部に上部が開口し内部に前記中筒を収容する漏洩防止用外袋を配設するようにしたものである。
【０００８】
即ち、本発明に係る廃油処理用容器は、上部が開口し内部に廃油を収納する廃油収納用内袋と、当該内袋を収容する紙製中筒と、当該中筒の上下開口端をそれぞれ閉鎖する紙製中パットと、上部が開口し内部に前記中筒を収容する漏洩防止用外袋と、該外袋の上下に配置されるファイバーボードと、これらを一体的に収納する紙製外箱とを含んでなることを特徴とするものである。
【０００９】
前記紙製外箱は、通常、段ボールシートで形成される。この段ボールとしては、強度的な観点から両面段ボール（いわゆるシングル）よりも複両面段ボール（いわゆるダブル）や複々両面段ボールなどを使用するのが好ましく、経済性を加味すると、ＡＢフルートやＡＡフルートなどの複両面段ボールを使用するのが好適である。また、前記段ボールシートは、少なくとも内側に防水コーティングを施されているものを使用するのが好適である。
【００１０】
また、前記中筒は、継ぎ目なしの一体物であっても良いが、輸送及び保管時の占有空間を小さくするため、中筒を展開した耐油性板紙とし、これを使用時に円筒状に湾曲させ、その両端を粘着テープで貼着するようにしても良い。
【００１１】
前記廃油収納用内袋及び漏洩防止用外袋としては、ポリエチレンやポリプロピレンなどのポリオレフィン系樹脂からなるフィルム又は少なくとも内面を前記ポリオレフィン系樹脂で被覆されたクラフトペーパーなどで形成された紙袋を使用するのが好適である。
【００１２】
好ましい実施態様においては、前記外箱の蓋部及び底部と外袋の間にそれぞれファイバーボードが配設される。前記ファイバーボードは、木材及びその他の植物繊維を主原料として成形した板状製品であり、これには軟質繊維板、半硬質繊維板及び硬質繊維板が含まれるが、好ましくは、半硬質繊維板及び硬質繊維板、より好ましくは、硬質繊維板が使用される。
【００１３】
さらに、好ましい実施態様においては、前記外箱の底部及びその相対する側壁にそれぞれ当接するコ字状の紙製補強板が配設され、当該補強板が相対する側壁部に少なくとも一つの係止用舌片を備え、当該係止用舌片を前記外箱に設けた貫通口に嵌入し、前記貫通口に手を差し込んで持つ際に手が外箱を形成する段ボールの切断面に当たるのを阻止するようにしてある。
【００１４】
本発明の廃油処理容器によれば、全ての素材又は大部分の素材が天然資源である植物繊維で形成されているため、そのまま燃焼廃棄することが可能であり、また、中筒が外箱の天地両面を支持するため耐圧強度が向上し、多段積みすることが可能となる。
【００１５】
以下、本発明の一実施態様を示す添付の図面を参照して本発明の廃油処理容器について説明する。
【００１６】
【発明の実施の形態】
本発明に係る廃油処理容器は、図１に示すように、容器本体を紙製外箱と、当該外箱１の内部に配置され前記外箱１の天地間に伸長する中筒９と、前記中筒９の上下開口端に配設され当該開口端をそれぞれ閉鎖する紙製中パット１０ａ，１０ｂと、前記中筒９の内部に配設され、上部が開口し内部に廃油を収納する内袋１１と、前記外箱１の内部に配設され、上部が開口し内部に前記中筒９を収容する漏洩防止用外袋１２と、当該外袋１２の上下にそれぞれ配置されと前記紙製外箱の底部及び天井部に当接するファイバーボード１３ａ，１３ｂとからなり、これらはそれぞれ展開した状態でセットとして組み合わされる。また、前記セットには、必要に応じて内袋１１及び外袋１２の開口部を閉塞する紐、テープその他の閉塞手段を含めても良い。
【００１７】
図２は図１に示す外箱１の展開図を示し、該外箱１は、複両面段ボール、例えば、ＡＢフルートで補強板と一体的に形成されたもので、底板２の一辺に側壁３ａが連設され、その側壁３ａに残りの側壁３ｂ、３ｃ、３ｄが順次連設されると共に、組み立て時に前記底板２に連設された側壁３ａに相対する側壁３ｃに補強底板４が連設され、当該補強底板４の連設辺に隣り合う二辺には補強側壁５ａ，５ｂが連設されている。前記側壁３ｂ、３ｃ及び補強側壁５には取手となる貫通口６がそれぞれ形成されている。なお、補強側壁５の貫通口６を完全に切り取らずに上端側に折り線を入れて係止用舌片を形成し、これを外箱方向に折り曲げるようにしても良い。
【００１８】
また、前記側壁３ａ、３ｂ、３ｃ、３ｄの上側になる辺には蓋となるフラップ７ａ、７ｂ、７ｃ、７ｄがそれぞれ連設され、前記側壁３ａに連設された接合片８によって組み立て時に隣り合う側壁３ｄに貼着される。なお、外箱１の内面には、内袋１１及び外袋１２の双方とも破れた場合や廃油投入時に漏れ出た廃油が付着した場合に耐えうるように、防水コーティングが施されている。
【００１９】
前記中筒９は、比較的厚手の板紙を円筒状に湾曲させ、両端９ａ，９ｂをクラフト粘着テープ、布粘着テープなどの粘着テープで固定するようにしてある。この場合、所定寸法の板紙を複数枚巻いて中筒９を形成しても良く、また、長尺の板紙を複数回巻回して中筒９を形成しても良い。
【００２０】
前記中筒９の底部及び天井部となる中パッド１０ａ，１０ｂは、耐衝撃性を付与するため、両面段ボール又は複両面段ボールを円板状に裁断したもので、その直径は中筒９の直径より若干大径にしてある。
【００２１】
また、前記内袋１１及び外袋１２は、ポリエチレン（ＰＥ）フィルムで形成されたＰＥ袋であって、例えば、図４に示すようにシームレスフイルムの底部を接合したものでも、また、矩形のポリエチレンフィルムを封筒のように形成したものでも良い。ポリエチレンフィルム自体は、単層でも良いが、本実施例では、例えば、４０μm厚のＰＥフィルムを三層貼りしたもので内袋を形成し、４０μm厚のＰＥフィルムを二層貼りしたもので外袋を形成してある。
【００２２】
前記外箱１の底部と外袋１２との間及び当該外箱１の蓋部と外袋１２との間にそれぞれ配設されるファイバーボード１３ａ，１３ｂとして、例えば、３〜１０mm厚の硬質繊維板で形成されている。
【００２３】
前記廃油処理容器は、前記外箱１、中筒９、中パット１０ａ，１０ｂ、内袋１１、外袋１２及びファイバーボード１３ａ，１３ｂを個別にして又は１セットとして使用者に届けられる。使用に際しては、まず、パッキングケースで外箱１を組み立て、その外箱１の底板２と側壁下部とに跨って粘着テープを貼着して外箱１の底部に隙間を生じないようにシールする。なお、底板２と補強底板４との間を両面テープで密着させても良い。次いで、中筒９を組み立てた後、外箱１の内底にファイバーボード１３ａを配置し、その上に外袋１２を配置する。外袋内に、その上部開口部から中パッド１０ａ及び中筒９を入れ、更に、内袋１１を中筒９内に配置する。この状態で、上部開口部を介して内袋１１内に廃油を中筒９の上端近傍まで充填した後、内袋１１の上部開口部を閉じて針金又は粘着テープ等で封鎖する。封をした内袋１１の上に中パッド１０ｂをおいて中筒９に蓋をした後、外袋１２を閉じて針金又は粘着テープで封鎖する。次いで、外袋１２の上にファイバーボード１３ｂを配置し、外箱１の蓋フラップ７ａ、７ｂ、７ｃ、７ｄを折り曲げて、蓋をし、その継ぎ目を粘着テープで密封することにより廃油の収容が終了する。このようにして廃油を収納した廃油処理容器をパレット上に二段又は三段に積み重ね、所定個数に達した後、処理すれば良い。
【００２４】
【発明の効果】
以上の説明から明らかなように、本発明によれば、廃油処理容器の構成要素を大部分天然資源で構成し、内袋及び外袋の形成に合成樹脂を使用したとしても材質がポリオレフィン系樹脂であって使用量も少なく、また、そのまま焼却することができ、その燃焼時に環境汚染の原因となる有害成分を発生することが無く、しかも、中筒が外箱の支柱としても機能するため耐圧性及び機械的強度が強く、２０〜３０リットルの廃油を収容しても多段積みすることができ、また、組立式であるため輸送時や保管時の占有空間が小さく軽量な廃油処理用容器を得ることができる。
【図面の簡単な説明】
【図１】本発明に係る廃油処理容器の分解斜視図
【図２】図１の外箱の展開図
【図３】図１の中筒の拡大斜視図
【図４】図１の内袋（外袋）の拡大斜視図
【符号の説明】
１…外箱
２…底板
３…側壁
４…補強底板
５…補強側壁
６…貫通口
７…フラップ
８…接合片
９…中筒
１０…中パッド
１１…内袋
１２…外袋
１３…ファイバーボード
【図１】
2004196456.tif 000003
【図２】
2004196456.tif 000004
【図３】
2004196456.tif 000005
【図４】
2004196456.tif 000006